(57)【要約】【課題】遊技機構成部材を固定する部材が側枠と接触することによって破損することを低減させることができる遊技機を提供する。【解決手段】側枠１０と、枠体２０と、遊技機構成部材と、遊技機構成部材を着脱可能とする回動固定部材４０Ａとを備え、回動固定部材４０Ａが、軸部４１と、操作部４２と、固定部とを一体にして形成されるとともに、枠体２０に設けられた取付部に回動可能に取り付けられた遊技機において、回動固定部材４０が固定解除位置Ｐ２にある状態において、枠体２０を側枠１０に向けて回動させることにより操作部４２が側枠１０と接触する場合が少なくとも存在するとともに、回動固定部材４０Ａが側枠１０と接触したときに前記操作部４２を該接触部位の裏面側から支える支持部材６０を設けた。【選択図】図８
2006034689.tif 000002
【特許請求の範囲】
【請求項１】
遊技機の最外周枠を形成する側枠と、
前記側枠に回動可能に取り付けられるとともに該側枠に嵌入して固定される枠体と、
前記枠体に取り付けられる遊技機構成部材と、
前記枠体に取り付けられて前記遊技機構成部材を着脱可能とする回動固定部材とを備え、
前記回動固定部材が、
該回動固定部材を前記枠体に取り付ける軸部と、
前記軸部から突出して形成され該軸部を中心として回動する操作部と、
前記操作部が回動することにより前記遊技機構成部材を固定する固定位置と前記固定を解除する固定解除位置との間を回動する固定部とを一体にして形成されるとともに、前記枠体に設けられた取付部に回動可能に取り付けられた遊技機において、
前記回動固定部材が前記固定解除位置にある状態において、前記枠体を前記側枠に向けて回動させることにより前記操作部が前記側枠と接触する場合が少なくとも存在するとともに、前記回動固定部材が前記側枠と接触したときに前記操作部を該接触部位の裏面側から支える支持部材を設けたことを特徴とする遊技機。
【請求項２】
前記回動固定部材の固定部と操作部が前記軸部を介してＬ字状に配置されるとともに、該操作部を前記軸部を中心として左又は右方向に９０度回動させることにより前記回動固定部材が前記固定位置又は固定解除位置に移動することを特徴とする請求項１に記載の遊技機。
【請求項３】
前記支持部材は、前記軸部よりも遊技機の外周側に設けられかつ前記側枠よりも遊技機の内周側に設けられたことを特徴とする請求項１又は２に記載の遊技機。
【請求項４】
前記枠体は前記支持部材を取り付ける支持部材取付部を備え、前記支持部材は、前記支持部材取付部への取付面と前記操作部を前記側枠との接触部位の裏面側から支える支持部とを有し、前記操作部が前記側枠と接触するときに前記支持部は該操作部の遊技機構成部材側の面と常に接触するように配置されたこと特徴とする請求項１ないし３のいずれか１項に記載の遊技機。
【請求項５】
前記回動固定部材が樹脂製部材によって形成され、前記支持部材が金属製部材によって形成されたことを特徴とする請求項１ないし４のいずれか１項に記載の遊技機。
【発明の詳細な説明】
【技術分野】
【０００１】
この発明は、パチンコ遊技機等の遊技機に関する。
【背景技術】
【０００２】
一般にパチンコ遊技機等の遊技機は、前面枠が側枠に対して開閉可能に取り付けられている。この種の遊技機においては、遊技機構成部材の固定部材（例えば遊技盤固定部材）を操作することによって遊技盤を前面枠に対して着脱することができるものが知られている（特許文献１参照。）。この種の遊技機においては、遊技盤固定部材を固定解除位置に回動させた後に遊技盤を前面枠に装着し、その後に遊技盤固定部材を固定位置に回動させて遊技盤を前面枠に取り付けることができる。
【０００３】
しかしながら、この遊技機においては、遊技盤固定部材を固定解除位置に移動させたままで前面枠を閉じようとすると、遊技盤固定部材が、側枠に接触してしまうことに加えてこの側枠に押されて破損してしまう恐れがあった。
【特許文献１】特開２００３−１５４１３１号公報
【発明の開示】
【発明が解決しようとする課題】
【０００４】
この発明は、このような状況に鑑み提案されたもので、遊技機構成部材を固定する部材が側枠と接触することによって破損することを低減させることができる遊技機を提供する。
【課題を解決するための手段】
【０００５】
すなわち、請求項１の発明は、遊技機の最外周枠を形成する側枠と、前記側枠に回動可能に取り付けられるとともに該側枠に嵌入して固定される枠体と、前記枠体に取り付けられる遊技機構成部材と、前記枠体に取り付けられて前記遊技機構成部材を着脱可能とする回動固定部材とを備え、前記回動固定部材が、該回動固定部材を前記枠体に取り付ける軸部と、前記軸部から突出して形成され該軸部を中心として回動する操作部と、前記操作部が回動することにより前記遊技機構成部材を固定する固定位置と前記固定を解除する固定解除位置との間を回動する固定部とを一体にして形成されるとともに、前記枠体に設けられた取付部に回動可能に取り付けられた遊技機において、前記回動固定部材が前記固定解除位置にある状態において、前記枠体を前記側枠に向けて回動させることにより前記操作部が前記側枠と接触する場合が少なくとも存在するとともに、前記回動固定部材が前記側枠と接触したときに前記操作部を該接触部位の裏面側から支える支持部材を設けたことを特徴とする遊技機に係る。
【０００６】
請求項２の発明は、請求項１において、前記回動固定部材の固定部と操作部が前記軸部を介してＬ字状に配置されるとともに、該操作部を前記軸部を中心として左又は右方向に９０度回動させることにより前記回動固定部材が前記固定位置又は固定解除位置に移動することを特徴とする遊技機に係る。
【０００７】
請求項３の発明は、請求項１又は２において、前記支持部材は、前記軸部よりも遊技機の外周側に設けられかつ前記側枠よりも遊技機の内周側に設けられたことを特徴とする遊技機に係る。
【０００８】
請求項４の発明は、請求項１ないし３のいずれか１項において、前記枠体は前記支持部材を取り付ける支持部材取付部を備え、前記支持部材は、前記支持部材取付部への取付面と前記操作部を前記側枠との接触部位の裏面側から支える支持部とを有し、前記操作部が前記側枠と接触するときに前記支持部は該操作部の遊技機構成部材側の面と常に接触するように配置されたこと特徴とする遊技機に係る。
【０００９】
請求項５の発明は、請求項１ないし４のいずれか１項において、前記回動固定部材が樹脂製部材によって形成され、前記支持部材が金属製部材によって形成されたことを特徴とする遊技機に係る。
【発明の効果】
【００１０】
請求項１の発明に係る遊技機によれば、遊技機の最外周枠を形成する側枠と、前記側枠に回動可能に取り付けられるとともに該側枠に嵌入して固定される枠体と、前記枠体に取り付けられる遊技機構成部材と、前記枠体に取り付けられて前記遊技機構成部材を着脱可能とする回動固定部材とを備え、前記回動固定部材が、該回動固定部材を前記枠体に取り付ける軸部と、前記軸部から突出して形成され該軸部を中心として回動する操作部と、前記操作部が回動することにより前記遊技機構成部材を固定する固定位置と前記固定を解除する固定解除位置との間を回動する固定部とを一体にして形成されるとともに、前記枠体に設けられた取付部に回動可能に取り付けられた遊技機において、前記回動固定部材が前記固定解除位置にある状態において、前記枠体を前記側枠に向けて回動させることにより前記操作部が前記側枠と接触する場合が少なくとも存在するとともに、前記回動固定部材が前記側枠と接触したときに前記操作部を該接触部位の裏面側から支える支持部材を設けたことから、前記回動固定部材が前記側枠と接触することによって破損することを低減させることができる。
【００１１】
請求項２の発明によれば、請求項１において、前記回動固定部材の固定部と操作部が前記軸部を介してＬ字状に配置されるとともに、該操作部を前記軸部を中心として左又は右方向に９０度回動させることにより前記回動固定部材が前記固定位置又は固定解除位置に移動することから、前記回動固定部材の操作性が向上するとともに、該回動固定部材を所定の角度回動させることにより前記遊技機構成部材を着脱することができる。
【００１２】
請求項３の発明によれば、請求項１又は２において、前記支持部材は、前記軸部よりも遊技機の外周側に設けられかつ前記側枠よりも遊技機の内周側に設けられたことから、前記回動固定部材が、接触する側枠と近接した位置で支えられ該側枠と接触することによって破損することを効果的に低減することができる。
【００１３】
請求項４の発明によれば、請求項１ないし３のいずれか１項において、前記枠体は前記支持部材を取り付ける支持部材取付部を備え、前記支持部材は、前記支持部材取付部への取付面と前記操作部を前記側枠との接触部位の裏面側から支える支持部とを有し、前記操作部が前記側枠と接触するときに前記支持部は該操作部の遊技機構成部材側の面と常に接触するように配置されたことから、前記回動固定部材が、側枠に押されて破損することを低減することができる。
【００１４】
請求項５の発明によれば、請求項１ないし４のいずれか１項において、前記回動固定部材が樹脂製部材によって形成され、前記支持部材が金属製部材によって形成されたことから、該支持部材が回動固定部材を十分に支えることができる。
【発明を実施するための最良の形態】
【００１５】
以下添付の図面に基づきこの発明の好適な実施形態を説明する。図１はこの発明の一実施例に係る遊技機全体の正面図、図２は同遊技機の裏面側における側枠、機構板、前面枠の取付状態を示す分解斜視図、図３は前面枠の裏面図、図４は遊技盤を固定した前面枠の裏面図、図５は同遊技機全体の裏面図、図６は前面枠を開放した遊技機の裏面斜視図、図７は図６の符号Ａ部分における回動固定部材の取付状態図、図８は図６の符号Ａ部分において回動固定部材が前面枠と接触した状態を示す拡大図、図９は回動固定部材の全体斜視図、図１０は回動固定部材の取付部と支持部材の配置を示す拡大図である。
【００１６】
この実施例の遊技機（ここではパチンコ遊技機）１は、図１ないし図４に示すように、側枠１０と、枠体２０（以下前面枠と称する。）と、遊技盤Ｍとを備えている。実施例の遊技盤Ｍは、遊技機構成部材に相当し前面枠２０に取り付けられる。
【００１７】
側枠１０は、図示するように、パチンコ遊技機１の最外周枠を形成する。符号１３は安定板、１４は前面枠２０の受部、１８は前面枠２０に配置された鍵装置２６の係止金具である。
【００１８】
前面枠２０は、側枠１０に回動可能に取り付けられるとともに該側枠１０に嵌入して固定される。この実施例の前面枠２０は、図２に示すように、軸支部材取付部２１と側枠１０の軸支部材１１とを組み合わせることにより、側枠１０に回動可能に取り付けられる。パチンコ遊技機１の裏面側は、図３の斜線部に示すように、前面枠２０が側枠１０に嵌入されたときに、前面枠２０の背面に側枠１０が占める空間である収容空間Ｋを有する。
【００１９】
遊技盤Ｍの縁には、図１に示すように、遊技領域６に発射装置Ｅにより発射された遊技球を誘導するガイドレール４が略円形に立設されており、該ガイドレール４によって囲まれた遊技領域６には遊技球が入賞可能な複数の入賞口が設けられている。
【００２０】
この実施例の遊技領域６には、その中心線上に上部から下部に向かって順に液晶表示器（ＴＦＴ−ＬＣＤモジュール）等からなる画像表示部５０を有する表示装置９、始動入賞口１２、特別電動役物である大入賞口１５、アウト口が配設され、また上方両側には風車２２ａ，２２ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技領域６には、該遊技領域６を転動しつつ下方へ落下する遊技球を誘導する遊技釘（図示せず）が適宜設けられる。
【００２１】
さらに、パチンコ遊技機１の前面側には払い出された遊技球を受けるための上側球受け皿３２、該上側球受け皿３２の飽和時に遊技球を受け止めるための下側球受け皿３４、前記遊技盤Ｍに設けた左サイドランプ３５Ｌ，右サイドランプ３５Ｒとともに遊技状態を報知する枠飾りランプ３５、遊技者が貸球の払出操作を行う球貸し操作部５５、前記上側球受け皿３２に内蔵されて音声や効果音を発して遊技状態を遊技者に報知するスピーカＳ、遊技者の発射操作に応じて遊技球を遊技盤Ｍに向けて発射するための発射装置Ｅ、該発射装置Ｅの操作レバーＥ１がそれぞれ組み付けられている。
【００２２】
前記発射装置Ｅは、その操作レバーＥ１と、該操作レバーＥ１の操作により駆動する発射モータと、該発射モータの駆動により間欠的に揺動して遊技球を弾発発射する打球槌とを有している。この発射装置Ｅにより発射された遊技球は、前記遊技盤Ｍに立設されたガイドレール４に沿って遊技領域６に誘導される。遊技領域６に誘導された遊技球は、転動しつつ下方へ落下し、該遊技領域６に設けられた入賞口に入賞するか、あるいは何れにも入賞しなければ前記アウト口から遊技盤Ｍの裏側へ排出される。
【００２３】
実施例のパチンコ遊技機１は、機構板３が前面枠２０に取り付けられる。機構板３は、遊技施設の設置島から投入される払出用の遊技球を貯留する貯留タンク、貯留タンクから遊技球を払出装置へ流下させる複数の誘導樋等が形成されている。さらに、この機構板３は、遊技球の払出条件成立時の遊技球の払い出しを制御する払出制御基板、各種の制御基板を制御する主制御基板等を備えている。この機構板３は、図示するように、係止用突起部５と前面枠２０の機構板係止部材２４とを組み合わせることにより、前面枠２０に取り付けられる。この機構板３も遊技機構成部材に相当する。
【００２４】
図５中の符号１０１は遊技球を貯留する貯留タンク、１０２はタンクレール、１０６は受電基板、１１０は盤面用外部出力端子基板、１１４は電源基板、１１８は払出制御基板、１１９は発射装置制御基板、１２２はカードインターフェイス接続部、１２３は電源プラグ、１５１はプリペードカードユニット、Ｇは接地線である。
【００２５】
このパチンコ遊技機１は、回動固定部材４０を備えている。回動固定部材４０は、図２ないし図６に示すように、前記前面枠２０に取り付けられて遊技盤Ｍを着脱可能とするものである。この回動固定部材４０は、図３及び図４に示すように、左側回動固定部材４０Ａと右側回動固定部材４０Ｂとからなる。左側回動固定部材４０Ａは、図７及び図８に示すように、前面枠２０に配置された鍵装置２６に取り付けられる。この回動固定部材４０は、図９に示すように、軸部４１と、操作部４２と、固定部４４とを一体にして形成される。
【００２６】
軸部４１は、回動固定部材４０を前面枠２０（ここでは鍵装置２６）に取り付けるものである。この軸部４１は、回動の中心となり、回動しても軸部形状と同一の軌跡を描くような筒部と貫通孔形状とによって構成される。鍵装置２６は、図７及び図１０に示すように、取付部４５を設けている。回動固定部材４０は、カラー５０と螺子５４によって取付部４５に取り付けられる。カラー５０は樹脂によって形成されている。
【００２７】
このカラー５０は、挿入部５１が軸部４１に挿入される。カラー５０は、螺子挿入溝５２と、軸部４１よりも大径の保持部５３を備えている。これによって、保持部５３が軸部４１を押えるとともに螺子５４が前記取付部４５と螺着する。回動固定部材４０は、カラーの挿入部５１が軸部４１の内壁を滑ることにより回動する。
【００２８】
操作部４２は、前記軸部４１から該軸部４１の軸に対して垂直平面側と軸方向側とに直方体状に突出して形成され該軸部４１を中心として回動する。この操作部４２は、図示するように、直方体の形状であって滑り止め部４３が形成されている。滑り止め部４３は、操作部４２の二辺に設けた凹凸面である。回動固定部材４０は、操作部４２を摘んで操作することにより回動する。この操作部４２は、滑り止め部４３を設けて操作性を向上させるとともに直方体形状によって強度を高めることができる。
【００２９】
固定部４４は、前記操作部４２が回動することにより前記遊技盤Ｍの固定位置と固定解除位置との間を回動する。回動固定部材４０は、図９に示すように、固定部４４と操作部４２が軸部４１を介してＬ字状に配置されている。これによって、前記回動固定部材４０の操作性が向上する。
【００３０】
左側回動固定部材４０Ａは、図７及び図８に示すように、操作部４２を軸部４１を中心として９０度回動させることにより固定位置Ｐ１又は固定解除位置Ｐ２に移動する。固定位置Ｐ１の左側回動固定部材４０Ａは、図４に示すように、固定部４４が遊技盤Ｍをパチンコ遊技機１の裏面側から押えて固定する。この実施例では、遊技盤Ｍが、２つの左側回動固定部材４０Ａによって前面枠２０に固定される。
【００３１】
一方、固定解除位置Ｐ２の左側回動固定部材４０Ａは、遊技盤Ｍを前面枠２０に固定する状態を解除する。
【００３２】
右側回動固定部材４０Ｂも、操作部４２を軸部４１を中心として９０度回動させることにより前記固定位置又は固定解除位置に移動する。この実施例では、図示するように、遊技盤Ｍが、２つの右側回動固定部材４０Ｂによって前面枠２０に固定される。遊技盤Ｍは、左右の回動固定部材４０Ａ，４０Ｂを固定解除位置に移動することにより前面枠２０から取り外される。
【００３３】
このパチンコ遊技機１は、図７，８及び図１０に示すように、支持部材６０が設けられている。ここでは、支持部材６０が板状部材によって構成される。固定解除位置Ｐ２にある左側回動固定部材４０Ａの操作部４２は、前記収容空間Ｋに進入し、図８に示すように、前面枠２０を側枠１０に向けて回動させることにより、該側枠１０と接触する。支持部材６０は、図示するように、操作部４２を、左側回動固定部材４０Ａと側枠１０との接触部位の裏面側となる前面枠２０側から支える。これによって、左側回動固定部材４０Ａが側枠１０と接触して破損することを低減させることができる。
【００３４】
支持部材６０は、図示するように、前記軸部４１よりもパチンコ遊技機１の外周側に設けられかつ側枠１０よりも該遊技機１の内周側に設けられている。これによって、前記左側回動固定部材４０Ａが、接触する側枠１０と近接した位置で支えられ該側枠１０と接触することによって破損することを効果的に低減することができる。
【００３５】
図７，８及び図１０に示すように、前記前面枠２０は支持部材取付部７０を備えている。この実施例では、支持部材取付部７０が金属製部材７１に設けた螺子孔によって構成される。ここでは、支持部材取付部７０を、金属製部材７１に設けているが前面枠２０と一体にして設けてもよい。前記支持部材６０は、支持部材取付部７０への取付面６１と、操作部４２の支持部６２とを有する。
【００３６】
取付面６１は、支持部材６０の一端を屈曲させて前記金属製部材７１と対向するように形成された面である。支持部６２は、前記支持部材６０の他端を屈曲させて形成された面であり、図示するように、操作部４２を側枠１０との接触部位の裏面側から支える。この支持部６２は、図８に示すように、操作部４２が側枠１０と接触するときに該操作部４２の遊技盤Ｍ側の面４９（図９参照。）と常に接触するように配置されている。ここでは、固定解除位置Ｐ２にある操作部４２が、図示するように、前記取付部４５近傍に延設された支持部６２に接触する。
【００３７】
左側回動固定部材４０Ａは、支持部材６０を設けることなく側枠１０によって押されると、軸部４１に力が集中して破損してしまう恐れがある。これに対し、支持部材６０を設けると、左側回動固定部材４０Ａは、図示するように、側枠１０から受ける力が支持部材６０によって軸部４１に集中することを防ぎ側枠１０に押されて破損することが低減される。加えて前記支持部６２は、図示するように、取付部４５から独立させた部材によって構成されていることから、左側回動固定部材４０Ａを支える強度が確保される。
【００３８】
この実施例では、回動固定部材４０が樹脂製部材によって形成され、支持部材６０が金属製部材によって形成される。これによって、回動固定部材４０が支持部材６０に十分に支えられて破損することを低減させることができる。回動固定部材４０と支持部材６０の材質は、この実施例のものに限らず適宜変更することができる。例えば、材質を支持部材６０の強度が回動固定部材４０の強度に勝るもの又は両部材４０，６０の材質を同程度の強度のものとすればよい。これによって、この実施例と同様の効果を発揮することができる。
【００３９】
本発明は、実施例に限定されるものではなく、発明の趣旨を逸脱しない範囲内において構成の一部を適宜変更して実施することができる。実施例は前記固定解除位置Ｐ２にある左側回動固定部材４０Ａが側枠１０と接触するものであるが、本発明は、前記収容空間Ｋに位置する左側回動固定部材４０Ａが、側枠１０と接触するときにも適用することができる。
【００４０】
実施例は回動固定部材４０が側枠１０と接触するものであるが、本発明は、回動固定部材４０が、機構板３あるいは遊技機を構成する部材等とそれぞれ接触するものにも適用することができる。
【００４１】
本発明は、パチンコ遊技機を用いて説明したが、スロットマシン遊技機等の適宜の遊技機に適用することができる。
【図面の簡単な説明】
【００４２】
【図１】この発明の一実施例に係る遊技機全体の正面図である。
【図２】同遊技機の裏面側における側枠、機構板、前面枠の取付状態を示す分解斜視図である。
【図３】前面枠の裏面図である。
【図４】遊技盤を固定した前面枠の裏面図である。
【図５】同遊技機全体の裏面図である。
【図６】前面枠を開放した遊技機の裏面斜視図である。
【図７】図６の符号Ａ部分における回動固定部材の取付状態図である。
【図８】図６の符号Ａ部分において回動固定部材が前面枠と接触した状態を示す拡大図である。
【図９】回動固定部材の全体斜視図である。
【図１０】回動固定部材の取付部と支持部材の配置を示す拡大図である。
【符号の説明】
【００４３】
１  パチンコ遊技機
３  機構板
１０  側枠
２０  枠体（前面枠）
４０  回動固定部材
４１  軸部
４２  操作部
４４  固定部
４５  取付部
４９  操作部の遊技機構成部材側の面
６０  支持部材
６１  取付面
６２  支持部
７０  支持部材取付部
Ｍ  遊技盤
Ｐ１  固定位置
Ｐ２  固定解除位置
【図１】
2006034689.tif 000003
【図２】
2006034689.tif 000004
【図３】
2006034689.tif 000005
【図４】
2006034689.tif 000006
【図５】
2006034689.tif 000007
【図６】
2006034689.tif 000008
【図７】
2006034689.tif 000009
【図８】
2006034689.tif 000010
【図９】
2006034689.tif 000011
【図１０】
2006034689.tif 000012